(57)【特許請求の範囲】
【請求項１】
シート部材によってスリッパ輪郭形状の表面側被覆シート部（１）と底面側被覆シート部（２）をもつ扁平な包装形態に形成された被覆シート部材（３）と、この被覆シート部材（３）の前記表面側被覆シート部（１）に形成され、該表面側被覆シート部（１）を甲被覆部（４）と踵被踏部（５）とに長手方向において前後に区分けする足入れ用開口部（６）によってスリッパ主体（２０）を形成してなり、扁平な包装形態に形成された前記被覆シート部材（３）の外周縁部を、扁平状態でスリッパの前記甲被覆部（４）の両側縁部（４ａ，４ａ）として機能される、前記シート部材を扁平な筒状被覆形態に折り曲げた該両折り曲げ部によって前記表面側被覆シート部（１）側と底面側被覆シート部（２）側とに折り曲げて形成された折り曲げ輪郭形状部（１０，１０）と、該折り曲げ輪郭形状部を除く該被覆シート部材（３）の外周縁部をスリッパ輪郭形状に沿うように接着して形成した接着輪郭形状部（１１）とで形成し、前記足入れ用開口部（６）の横巾方向の両端部（６ａ，６ａ）を前記甲被覆部（４）の両側縁部（４ａ，４ａ）として機能される前記折り曲げ輪郭形状部（１０，１０）の後端部の近くに位置するように形成したことを特徴とする扁平型簡易スリッパ。
【請求項２】
前記被覆シート部材（３）内の表面側被覆シート部（１）と底面側被覆シート部（２）の間に前記接着輪郭形状部（１１）より小さな外形をもちほぼ足裏の大きさに形成された板状の底部補強部材（３０）を該底部補強部材の外周縁部を前記接着輪郭形状部（１１）から遊離させた非接着状態に包装したことを特徴とする請求項１に記載の扁平型簡易スリッパ。
【請求項３】
熱可塑性素材からなるシート部材によってスリッパ輪郭形状の表面側被覆シート部（１）と底面側被覆シート部（２）をもつ扁平な包装形態に形成された被覆シート部材（３）と、この被覆シート部材（３）の前記表面側被覆シート部（１）に形成され、該表面側被覆シート部（１）を甲被覆部（４）と踵被踏部（５）とに長手方向において前後に区分けする足入れ用開口部（６）によってスリッパ主体（２０）を形成してなり、扁平な包装形態に形成された前記被覆シート部材（３）の外周縁部を、扁平状態でスリッパの前記甲被覆部（４）の両側縁部（４ａ，４ａ）として機能される、前記シート部材を扁平な筒状被覆形態に折り曲げた該両折り曲げ部によって前記表面側被覆シート部（１）側と底面側被覆シート部（２）側とに折り曲げて形成された折り曲げ輪郭形状部（１０，１０）と、該折り曲げ輪郭形状部を除く該被覆シート部材（３）の外周縁部をスリッパ輪郭形状に沿うように熱接着して形成した熱接着輪郭形状部（１１）とで形成し、前記足入れ用開口部（６）の横巾方向の両端部（６ａ，６ａ）を前記甲被覆部（４）の両側縁部（４ａ，４ａ）として機能される前記折り曲げ輪郭形状部（１０，１０）の後端部の近くに位置するように形成してなり、
更に、前記スリッパ主体（２０）の前記被覆シート部材（３）内の表面側被覆シート部（１）と底面側被覆シート部（２）の間に、足裏巾とほぼ同じ横巾に形成された熱可塑性素材からなる板状の底部補強部材（３０）を、該底部補強部材の横巾方向の外周縁部を少なくとも前記甲被覆部（４）の両側縁部（４ａ，４ａ）から該両側縁部（４ａ，４ａ）を立ち上げるための所定の立ち上げ遊び巾（Ｌ３，Ｌ３）を与えられる位置に配設すると共に、この底部補強部材（３０）の爪先側と踵側に位置する長手方向の外周縁部を前記熱接着輪郭形状部（１１）で前記表面側被覆シート部（１）と底面側被覆シート部（２）の間に挟まれて熱接着された接着状態に包装したことを特徴とする扁平型簡易スリッパ。
【請求項４】
シート長手方向の中央部に扁平状態でスリッパの甲被覆部（４）の両側縁部（４ａ，４ａ）として機能される該両側縁部（４ａ，４ａ）の平行な延長線（Ｌ１，Ｌ１）で囲まれた表面側被覆シート部形成範囲（４１）と、この表面側被覆シート部形成範囲（４１）の両側部に各端部が互いに接合される所定巾を与えられた底面側被覆シート部形成範囲（４２，４２）とをもつ所定のシート巾に形成された熱可塑性素材からなる長尺のシート部材（４０）であり、該シート部材（４０）の前記表面側被覆シート部形成範囲（４１）に、前記表面側被覆シート部形成範囲（４１）をシート長手方向に沿ってスリッパ単位を構成する甲被覆部（４）と踵被踏部（５）とにシート長手方向において前後に区分けする足入れ用開口部（６）を該足入れ用開口部（６）の横巾方向の両端部（６ａ，６ａ）を前記表面側被覆シート部形成範囲（４１）の側縁位置の近くに位置するようにスリッパ形成単位ごと所定の間隔をおいて順次形成する足入れ用開口部形成工程と、
この足入れ用開口部形成工程で足入れ用開口部（６）を順次形成されたシート部材（４０）を扁平状態でスリッパの甲被覆部（４）の両側縁部（４ａ，４ａ）として機能される該両側縁部（４ａ，４ａ）の平行な前記延長線（Ｌ１，Ｌ１）に沿ってシート部材（４０）の長手方向の両側端部を各両側端部が互いに接合されるようにそれぞれ折り曲げて足入れ用開口部（６）を形成した表面側被覆シート部（１）と各折り曲げ片から成る底面側被覆シート部（２）とを形成する折り曲げ工程と、
この折り曲げ工程で折り曲げられた各折り曲げ片の接合部を熱接着することによって表面側被覆シート部（１）と底面側被覆シート部（２）をもつ扁平な筒状被覆体を形成する筒状被覆体形成工程と、前記折り曲げ工程の後で前記筒状被覆体形成工程の前後あるいは同時に表面側被覆シート部（１）に形成されている前記足入れ用開口部（６）の両端部（６ａ，６ａ）が前記甲被覆部（４）の両側縁部（４ａ，４ａ）として機能される折り曲げ部の後端部の近くに位置するようにして前記甲被覆部（４）の両側縁部（４ａ，４ａ）として機能される折り曲げ部を除く表面側被覆シート部（１）と底面側被覆シート部（２）とを所定のスリッパ輪郭形状に沿うように熱接着する熱接着輪郭形状部形成工程と、この熱接着輪郭形状部形成工程で熱接着された熱接着輪郭形状部（１１）の外側にあるシート部材（４０）を取り除くべく切断するカット工程とからなる偏平型簡易スリッパの製造方法。
【請求項５】
シート長手方向の中央部に扁平状態でスリッパの甲被覆部（４）の両側縁部（４ａ，４ａ）として機能される該両側縁部（４ａ，４ａ）の平行な延長線（Ｌ１，Ｌ１）で囲まれた表面側被覆シート部形成範囲（４１）と、この表面側被覆シート部形成範囲（４１）の両側部に各端部が互いに接合される所定巾を与えられた底面側被覆シート部形成範囲（４２，４２）とをもつ所定のシート巾に形成された熱可塑性素材からなる長尺のシート部材（４０）であり、該シート部材（４０）の前記表面側被覆シート部形成範囲（４１）に、前記表面側被覆シート部形成範囲（４１）をシート長手方向に沿ってスリッパ単位を構成する甲被覆部（４）と踵被踏部（５）とにシート長手方向において前後に区分けする足入れ用開口部（６）を該足入れ用開口部（６）の横巾方向の両端部（６ａ，６ａ）を前記表面側被覆シート部形成範囲（４１）の側縁位置の近くに位置するようにスリッパ形成単位ごと所定の間隔をおいて順次形成する足入れ用開口部形成工程と、
この足入れ用開口部形成工程で足入れ用開口部（６）を順次形成されたシート部材（４０）の前記表面側被覆シート部形成範囲（４１）内にほぼ足裏の大きさに形成された板状の底部補強部材（３０）を該底部補強部材が甲被覆部（４）と踵被踏部（５）とに区分けする足入れ用開口部（６）の形成位置に対応されるように重ね合わせる底部補強部材重ね合わせ工程と、
前記足入れ用開口部形成工程で足入れ用開口部（６）を順次形成され、且つ前記底部補強部材重ね合わせ工程で前記表面側被覆シート部形成範囲（４１）内の所定位置に重ね合わせた底部補強部材（３０）を前記シート部材（４０）で包装すべくシート部材（４０）を扁平状態でスリッパの甲被覆部（４）の両側縁部（４ａ，４ａ）として機能される該両側縁部の平行な前記延長線（Ｌ１，Ｌ１）に沿ってシート部材（４０）の長手方向の両側端部を各両側端部が互いに接合されるようにそれぞれ折り曲げて足入れ用開口部（６）を形成した表面側被覆シート部（１）と各折り曲げ片から成る底面側被覆シート部（２）とを形成する折り曲げ工程と、
この折り曲げ工程で前記底部補強部材（３０）を包装した状態に折り曲げられた各折り曲げ片の接合部を熱接着することによって表面側被覆シート部（１）と底面側被覆シート部（２）をもつ扁平な筒状被覆体を形成する筒状被覆体形成工程と、前記折り曲げ工程の後で前記筒状被覆体形成工程の前後あるいは同時に表面側被覆シート部（１）に形成されている前記足入れ用開口部（６）の両端部（６ａ，６ａ）が前記甲被覆部（４）の両側縁部（４ａ，４ａ）として機能される折り曲げ部の後端部の近くに位置するようにして前記甲被覆部（４）の両側縁部（４ａ，４ａ）として機能される折り曲げ部を除く表面側被覆シート部（１）と底面側被覆シート部（２）とを前記底部補強部材（３０）の外周縁部から遊離させた所定のスリッパ輪郭形状に沿うように熱接着する熱接着輪郭形状部形成工程と、この熱接着輪郭形状部形成工程で熱接着された熱接着輪郭形状部（１１）の外側にあるシート部材（４０）を取り除くべく切断するカット工程とからなる偏平型簡易スリッパの製造方法。
【請求項６】
シート長手方向の中央部に扁平状態でスリッパの甲被覆部（４）の両側縁部（４ａ，４ａ）として機能される該両側縁部（４ａ，４ａ）の平行な延長線（Ｌ１，Ｌ１）で囲まれた表面側被覆シート部形成範囲（４１）と、この表面側被覆シート部形成範囲（４１）の両側部に各端部が互いに接合される所定巾を与えられた底面側被覆シート部形成範囲（４２，４２）とをもつ所定のシート巾に形成された熱可塑性素材からなる長尺のシート部材（４０）であり、該シート部材（４０）の前記表面側被覆シート部形成範囲（４１）に、前記表面側被覆シート部形成範囲（４１）をシート長手方向に沿ってスリッパ単位を構成する甲被覆部（４）と踵被踏部（５）とにシート長手方向において前後に区分けする足入れ用開口部（６）を該足入れ用開口部（６）の横巾方向の両端部（６ａ，６ａ）を前記表面側被覆シート部形成範囲（４１）の側縁位置の近くに位置するようにスリッパ形成単位ごと所定の間隔をおいて順次形成する足入れ用開口部形成工程と、
この足入れ用開口部形成工程で足入れ用開口部（６）を順次形成されたシート部材（４０）の前記表面側被覆シート部形成範囲（４１）内に足裏巾とほぼ同じ横巾に形成された熱可塑性素材からなる板状の長尺な底部補強用シート部材（３１）を、該底部補強用シート部材（３１）の両側縁部をスリッパの甲被覆部（４）の両側縁部（４ａ，４ａ）として機能される該両側縁部の平行な前記延長線（Ｌ１，Ｌ１）から該両側縁部（４ａ，４ａ）を立ち上げるための所定の立ち上げ遊び巾（Ｌ３，Ｌ３）を与えて前記シート部材（４０）の長手方向に沿わして重ね合わせる底部補強用シート部材重ね合わせ工程と、
前記足入れ用開口部形成工程で足入れ用開口部（６）を順次形成され、且つ前記底部補強用シート部材重ね合わせ工程で前記表面側被覆シート部形成範囲（４１）内の所定位置に重ね合わせた底部補強用シート部材（３１）を前記シート部材（４０）で包装すべくシート部材（４０）を扁平状態でスリッパの甲被覆部（４）の両側縁部（４ａ，４ａ）として機能される該両側縁部（４ａ，４ａ）の平行な延長線に沿ってシート部材（４０）の長手方向の両側端部を各両側端部が互いに接合されるようにそれぞれ折り曲げて足入れ用開口部（６）を形成した表面側被覆シート部（１）と各折り曲げ片から成る底面側被覆シート部（２）とを形成する折り曲げ工程と、
この折り曲げ工程で前記底部補強用シート部材（３１）を包装した状態に折り曲げられた各折り曲げ片の接合部を熱接着することによって表面側被覆シート部（１）と底面側被覆シート部（２）をもつ扁平な筒状被覆体を形成する筒状被覆体形成工程と、前記折り曲げ工程の後で前記筒状被覆体形成工程の前後あるいは同時に表面側被覆シート部（１）に形成されている前記足入れ用開口部（６）の両端部（６ａ，６ａ）が前記甲被覆部（４）の両側縁部（４ａ，４ａ）として機能される折り曲げ部の後端部の近くに位置するようにして前記甲被覆部（４）の両側縁部（４ａ，４ａ）として機能される折り曲げ部を除く表面側被覆シート部（１）と底面側被覆シート部（２）とを該両シート部（１，２）間に前記前記底部補強用シート部材（３１）の長手方向の両端部を挟着した状態で所定のスリッパ輪郭形状に沿うように熱接着する熱接着輪郭形状部形成工程と、この熱接着輪郭形状部形成工程で熱接着された熱接着輪郭形状部（１１）の外側に在るシート部材（４０）と底部補強用シート部材（３１）の長手方向の両端部を取り除くべく切断するカット工程とからなる偏平型簡易スリッパの製造方法。
【発明の詳細な説明】
【０００１】
【発明の属する技術分野】
本発明は、主にホテルや病院等で来客用に用いられる使い捨てに適した扁平型簡易スリッパとこの扁平型簡易スリッパの製造方法に関する。
【０００２】
【従来の技術】
一般的に室内履物として使用されるスリッパは、ほぼ足裏の大きさに形成されていて足の裏面を支持するための底板部材から成る底板部と足の爪先や甲部を覆う甲被覆部材から成る甲被覆部とから構成され、通常、前記底板部材の所定位置に甲被覆部材の周縁部をヒートシールによる熱接着や接着剤による接着や縫着など前記底板部材と甲被覆部の素材に応じた固着手段で取付けて形成している。
前記底板部材は足の裏面を支持するという目的からスリッパ形状を保持できる堅牢な材質である程度の厚さをもち、しかも衝撃に対して緩衝力をもつ材質が望ましく、また甲被覆部材は足の爪先や甲部を覆うという目的から足に違和感の少ない柔らかな材質が望ましいが厚さは比較的薄くても良いものとされている。一度あるいは数度の使用で捨ててしまう、いわゆる使い捨て用の簡易スリッパの素材としては、前記の目的を達成できると共に安価なものが要求され、底板部材としては、例えば、厚ボール紙、クッション性のある樹脂材、あるいはこれらに柔らかな不織布や紙や布などを積層したもの、甲被覆部材としては柔らかな熱可塑性の不織布などが用いられている。このように底板部材と甲被覆部材はその目的や機能から異質な素材で肉厚の異なる素材が用いられていることが多い。また、前記したように底板部材は種々なシート材を重ね合わせて形成されることが多いが、この底板部材の重ね合わせ部を互いに固着する個所と、この底板部材に更に甲被覆部材の周縁部を固着する個所では固着される素材や肉厚が不均一となってしまう。
このように固着される素材が異質であったり、肉厚が不均一ある素材同志を、例えば熱接着によって同時に強固に接着することは大変困難であり、特に甲被覆部材が底板部材から剥がれやすいため、手間のかかる縫製作業によってこれらの接着工程を行なっているのが実情である。
しかも、底板部材に甲被覆部材を固着して形成した簡易スリッパは、使用目的に応じて底板部材のみを取り替えることが出来ない。
【０００３】
また、スリッパの甲被覆部と底板部との接合部、特に甲被覆部の両側縁部の後端側と底板部との接合部は、歩行による上下方向の強い圧力が加えられることから、この接合部の接着力が弱い場合には剥離してしまうおそれがあった。
【０００４】
このような甲被覆部と底板部との剥離を防ぐために、この接合工程を手間のかかる縫製作業によって行なう場合には、生産性が悪く製造コストが高くなってしまう弊害があった。
【０００５】
【発明が解決しようとする課題】
このように、底板部材に甲被覆部材を接着したタイプの接着型簡易スリッパの製品としての良否を決定する大きな要素は底板部材に対する甲被覆部材の接着性の良否と言われているが、本発明は、甲被覆部を含む扁平な包装形態の被覆シート部材から成るスリッパ主体と板状の底部補強部材とを別体とし、扁平な包装形態の被覆シート部材から成るスリッパ主体内に板状の底部補強部材を非接着な状態に包装することによって、素材が異なり接着な困難な甲被覆部材と底板部材を接着せずに構成した簡易スリッパを提供するものである。強固な接着が困難とされている甲被覆部材と底板部材を接着せずに簡易スリッパを形成することにより、底板部材の素材や厚さの選定が容易であり、例えば表面に凹凸部を形成した底板部材の採用も可能にした簡易スリッパを提供するものである。
また、スリッパ主体に対して底板部材のみ交換できる簡易スリッパを提供するものである。また、底板部材を包装してない被覆シート部材から成るスリッパ主体のみを、通常のビニール製やフェルト製のスリッパ内に挿入して使用するスリッパ用インソールとしても用いることができる簡易スリッパを提供するものである。
また、本発明の目的は、スリッパの甲被覆部の両側縁部として機能される部分を歩行による上下方向の圧力集中に対しても剥離しないように特に強化させた簡易スリッパを提供することである。特に、歩行による上下方向の圧力が集中され、甲を覆う部分と足で押圧される底部側とを互いに引き離す力が強く作用される甲被覆部の開口側縁部と足で押圧される底部側との境目を剥離しないように強化させたものである。
また、本発明の目的は、甲被覆部の両側部、特に歩行によって、甲を覆う部分と足で押圧される底部側とを互いに引き離す力が強く作用される甲被覆部の開口側縁部と足で押圧される底部側との境目が剥離されにくい新規な簡易スリッパを連続的かつ高速的に機械製造するのに適した製造方法を提供することを目的とする。
【０００６】
【課題を解決するための手段】
上記目的を達成するため本発明は、スリッパ輪郭形状の表面側被覆シート部（１）と底面側被覆シート部（２）とをもつ扁平な包装形態に形成された被覆シート部材（３）と、この被覆シート部材（３）の前記表面側被覆シート部（１）に形成され、該表面側被覆シート部（１）を甲被覆部（４）と踵被踏部（５）とに区分けする足入れ用開口部（６）によってスリッパ主体（２０）を形成してあり、このように形成されたスリッパ主体の前記被覆シート部材（３）内の表面側被覆シート部（１）と底面側被覆シート部（２）の間にほぼ足裏の大きさに形成された板状の底部補強部材（３０）を包装したことを特徴とする扁平型簡易スリッパを提供する。ここで提供された簡易スリッパは、甲被覆部（４）を含む扁平な包装形態の被覆シート部材（３）から成るスリッパ主体（２０）と板状の底部補強部材（３０）とを別体とし、扁平な包装形態の被覆シート部材（３）から成るスリッパ主体（２０）内に板状の底部補強部材（３０）を包装することによって、接着が困難な甲被覆部（４）と板状の底部補強部材（３０）を接着せずに構成した簡易スリッパを提供するものである。
【０００７】
また、本発明は、シート部材によってスリッパ輪郭形状の表面側被覆シート部（１）と底面側被覆シート部（２）をもつ扁平な包装形態に形成された被覆シート部材（３）と、この被覆シート部材（３）の前記表面側被覆シート部（１）に形成され、該表面側被覆シート部（１）を甲被覆部（４）と踵被踏部（５）とに長手方向において前後に区分けする足入れ用開口部（６）によってスリッパ主体（２０）を形成してなり、扁平な包装形態に形成された前記被覆シート部材（３）の外周縁部を、扁平状態でスリッパの前記甲被覆部（４）の両側縁部（４ａ，４ａ）として機能される、前記シート部材を扁平な筒状被覆形態に折り曲げた該両折り曲げ部によって前記表面側被覆シート部（１）側と底面側被覆シート部（２）側とに折り曲げて形成された折り曲げ輪郭形状部（１０，１０）と、該折り曲げ輪郭形状部を除く該被覆シート部材（３）の外周縁部をスリッパ輪郭形状に沿うように接着して形成した接着輪郭形状部（１１）とで形成し、前記足入れ用開口部（６）の横巾方向の両端部（６ａ，６ａ）を前記甲被覆部（４）の両側縁部（４ａ，４ａ）として機能される前記折り曲げ輪郭形状部（１０，１０）の後端部の近くに位置するように形成したことを特徴とする扁平型簡易スリッパを提供すると共に、前記被覆シート部材（３）内の表面側被覆シート部（１）と底面側被覆シート部（２）の間に前記接着輪郭形状部（１１）より小さな外形をもちほぼ足裏の大きさに形成された板状の底部補強部材（３０）を該底部補強部材の外周縁部を前記接着輪郭形状部（１１）から遊離させた非接着状態に包装したことを特徴とする扁平型簡易スリッパを提供する。前記折り曲げ輪郭形状部（１０，１０）を除く外周縁部をスリッパ輪郭形状に沿うように接着して接着輪郭形状部（１１）を形成する接着手段は、接着剤を介した接着方法も可能であるが、前記シート部材として熱可塑性素材を用い、ヒートシールや、超音波接着などの接着方法に、よる事が好ましい。ここで提供された簡易スリッパは、甲被覆部（４）を含む扁平な包装形態の被覆シート部材（３）から成るスリッパ主体（２０）と板状の底部補強部材（２０）とを別体とし、扁平な包装形態の被覆シート部材（３）から成るスリッパ主体（２０）内に板状の底部補強部材（３０）を非接着な状態に包装して構成したものであり、更に、扁平な包装形態に形成された前記被覆シート部材（３）の外周縁部を、扁平状態でスリッパの前記甲被覆部（４）の両側縁部（４ａ，４ａ）として機能される、前記シート部材を扁平な筒状被覆形態に折り曲げた該両折り曲げ部によって前記表面側被覆シート部（１）側と底面側被覆シート部（２）側とに折り曲げて形成された折り曲げ輪郭形状部（１０，１０）と、該折り曲げ輪郭形状部を除く該被覆シート部材（３）の外周縁部をスリッパ輪郭形状に沿うように接着して形成した接着輪郭形状部（１１）とで形成し、前記足入れ用開口部（６）の横巾方向の両端部（６ａ，６ａ）を前記甲被覆部（４）の両側縁部（４ａ，４ａ）として機能される前記折り曲げ輪郭形状部（１０，１０）の後端部の近くに位置するように形成したことによって、特に、歩行による上下方向の圧力集中が顕著である甲被覆部の両側縁部の後端側と底面部との境目を剥離しないように強化させたものである。
【０００８】
また、本発明は、シート部材によってスリッパ輪郭形状の表面側被覆シート部（１）と底面側被覆シート部（２）をもつ扁平な包装形態に形成された被覆シート部材（３）と、この被覆シート部材（３）の前記表面側被覆シート部（１）に形成され、該表面側被覆シート部（１）を甲被覆部（４）と踵被踏部（５）とに区分けする足入れ用開口部（６）によってスリッパ主体（２０）を形成してなり、前記被覆シート部材（３）の外周縁部を、扁平状態でスリッパの爪先側前縁部（４ｂ）と踵側後縁部（５ａ）として機能されるシートを折り曲げて形成された折り曲げ輪郭形状部（１０，１０）と、該折り曲げ輪郭形状部を除く外周縁部をスリッパ輪郭形状に沿うように接着して形成した接着輪郭形状部（１１）とで形成し、前記足入れ用開口部（６）の両端部（６ａ，６ａ）を前記接着輪郭形状部（１１）の近くに位置するように形成したことを特徴とし、前記被覆シート部材（３）内の表面側被覆シート部（１）と底面側被覆シート部（２）の間に前記接着輪郭形状部（１１）より小さな外形をもちほぼ足裏の大きさに形成された板状の底部補強部材（３０）を該底部補強部材の外周縁部を前記接着輪郭形状部（１１）から遊離させた非接着状態に包装したことを特徴とする扁平型簡易スリッパを提供する。前記折り曲げ輪郭形状部（１０，１０）を除く外周縁部をスリッパ輪郭形状に沿うように接着して接着輪郭形状部（１１）を形成する接着手段は、接着剤を介した接着方法も可能であるが、前記シート部材として熱可塑性素材を用い、ヒートシールや、超音波接着などの接着方法に、よる事が好ましい。ここで提供された簡易スリッパは、甲被覆部（４）を含む扁平な包装形態の被覆シート部材（３）から成るスリッパ主体（２０）と板状の底部補強部材（３０）とを別体とし、扁平な包装形態の被覆シート部材（３）から成るスリッパ主体（２０）内に板状の底部補強部材（３０）を非接着な状態に包装して構成したものであり、更に、前記被覆シート部材（３）の外周縁部を、扁平状態でスリッパの爪先側前縁部（４ｂ）と踵側後縁部（５ａ）として機能される部分をシートを折り曲げて形成された折り曲げ輪郭形状部（１０，１０）としたことによって、歩行による足爪先部の圧力が加えられるスリッパの爪先側前縁部（４ｂ）を剥離しないように強化させている。スリッパの爪先側前縁部（４ｂ）をシートを折り曲げて折り曲げ輪郭形状部（１０）としたこの簡易スリッパは、スリッパ主体のみを通常のスリッパ内に挿入してスリッパ用インソールとして用いた場合に特に効果的である。
【０００９】
また、本発明は、シート部材によってスリッパ輪郭形状の表面側被覆シート部（１）と底面側被覆シート部（２）をもつ扁平な包装形態に形成された被覆シート部材（３）と、この被覆シート部材（３）の前記表面側被覆シート部（１）に形成され、該表面側被覆シート部（１）を甲被覆部（４）と踵被踏部（５）とに区分けする足入れ用開口部（６）によってスリッパ主体（２０）を形成してなり、前記被覆シート部材（３）の外周縁部を扁平状態でスリッパ輪郭形状に沿うように接着して形成した接着輪郭形状部（１１）で形成し、前記足入れ用開口部（６）の両端部（６ａ，６ａ）を前記接着輪郭形状部（１１）の近くに位置するように形成したことを特徴とし、前記被覆シート部材（３）内の表面側被覆シート部（１）と底面側被覆シート部（２）の間に前記接着輪郭形状部（１１）より小さな外形をもちほぼ足裏の大きさに形成された板状の底部補強部材（３０）を該底部補強部材の外周縁部を前記接着輪郭形状部（１１）から遊離させた非接着状態に包装したことを特徴とする扁平型簡易スリッパを提供する。前記接着輪郭形状部（１１）を形成する接着手段は、接着剤を介した接着方法も可能であるが、前記シート部材として熱可塑性素材を用い、ヒートシールや、超音波接着などの接着方法に、よる事が好ましい。ここで提供された簡易スリッパは、甲被覆部（４）を含む扁平な包装形態の被覆シート部材（３）から成るスリッパ主体（２０）と板状の底部補強部材（３０）とを別体とし、扁平な包装形態の被覆シート部材（３）から成るスリッパ主体（２０）内に板状の底部補強部材（３０）を非接着な状態に包装することによって、接着が困難な甲被覆部材と板状の底部補強部材を接着せずに構成した簡易スリッパを提供するものである。
【００１０】
また、本発明は、熱可塑性素材からなるシート部材によってスリッパ輪郭形状の表面側被覆シート部（１）と底面側被覆シート部（２）をもつ扁平な包装形態に形成された被覆シート部材（３）と、この被覆シート部材（３）の前記表面側被覆シート部（１）に形成され、該表面側被覆シート部（１）を甲被覆部（４）と踵被踏部（５）とに長手方向において前後に区分けする足入れ用開口部（６）によってスリッパ主体（２０）を形成してなり、扁平な包装形態に形成された前記被覆シート部材（３）の外周縁部を、扁平状態でスリッパの前記甲被覆部（４）の両側縁部（４ａ，４ａ）として機能される、前記シート部材を扁平な筒状被覆形態に折り曲げた該両折り曲げ部によって前記表面側被覆シート部（１）側と底面側被覆シート部（２）側とに折り曲げて形成された折り曲げ輪郭形状部（１０，１０）と、該折り曲げ輪郭形状部を除く該被覆シート部材（３）の外周縁部をスリッパ輪郭形状に沿うように熱接着して形成した熱接着輪郭形状部（１１）とで形成し、前記足入れ用開口部（６）の横巾方向の両端部（６ａ，６ａ）を前記甲被覆部（４）の両側縁部（４ａ，４ａ）として機能される前記折り曲げ輪郭形状部（１０，１０）の後端部の近くに位置するように形成してなり、更に、前記スリッパ主体（２０）の前記被覆シート部材（３）内の表面側被覆シート部（１）と底面側被覆シート部（２）の間に、足裏巾とほぼ同じ横巾に形成された熱可塑性素材からなる板状の底部補強部材（３０）を、該底部補強部材の横巾方向の外周縁部を少なくとも前記甲被覆部（４）の両側縁部（４ａ，４ａ）から該両側縁部（４ａ，４ａ）を立ち上げるための所定の立ち上げ遊び巾（Ｌ３，Ｌ３）を与えられる位置に配設すると共に、この底部補強部材（３０）の爪先側と踵側に位置する長手方向の外周縁部を前記熱接着輪郭形状部（１１）で前記表面側被覆シート部（１）と底面側被覆シート部（２）の間に挟まれて熱接着された接着状態に包装したことを特徴とする扁平型簡易スリッパを提供する。前記折り曲げ輪郭形状部（１０，１０）を除く外周縁部をスリッパ輪郭形状に沿うように接着して熱接着輪郭形状部（１１）を形成する接着手段は、ヒートシールによる接着方法も可能であるが、超音波接着による接着方法が好ましい。ここで提供された簡易スリッパは、扁平な包装形態に形成された前記被覆シート部材（３）の外周縁部を、扁平状態でスリッパの前記甲被覆部（４）の両側縁部（４ａ，４ａ）として機能される、前記シート部材を扁平な筒状被覆形態に折り曲げた該両折り曲げ部によって前記表面側被覆シート部（１）側と底面側被覆シート部（２）側とに折り曲げて形成された折り曲げ輪郭形状部（１０，１０）と、該折り曲げ輪郭形状部を除く該被覆シート部材（３）の外周縁部をスリッパ輪郭形状に沿うように熱接着して形成した熱接着輪郭形状部（１１）とで形成し、前記足入れ用開口部（６）の横巾方向の両端部（６ａ，６ａ）を前記甲被覆部（４）の両側縁部（４ａ，４ａ）として機能される前記折り曲げ輪郭形状部（１０，１０）の後端部の近くに位置するように形成したことによって、特に、歩行による上下方向の圧力集中が顕著である甲被覆部の両側縁部の後端側と底面部との境目を剥離しないように強化させたものである。また、ここで提供された簡易スリッパは、連続的かつ高速的に機械製造するのに適している。
【００１１】
前述した、被覆シート部材（３）の外周縁部を、扁平状態でスリッパの前記甲被覆部（４）の両側縁部（４ａ，４ａ）として機能される、前記シート部材を扁平な筒状被覆形態に折り曲げた該両折り曲げ部によって前記表面側被覆シート部（１）側と底面側被覆シート部（２）側とに折り曲げて形成された折り曲げ輪郭形状部（１０，１０）とした構造の扁平型簡易スリッパは、
シート長手方向の中央部に扁平状態でスリッパの甲被覆部（４）の両側縁部（４ａ，４ａ）として機能される該両側縁部（４ａ，４ａ）の平行な延長線（Ｌ１，Ｌ１）で囲まれた表面側被覆シート部形成範囲（４１）と、この表面側被覆シート部形成範囲（４１）の両側部に各端部が互いに接合される所定巾を与えられた底面側被覆シート部形成範囲（４２，４２）とをもつ所定のシート巾に形成された熱可塑性素材からなる長尺のシート部材（４０）であり、該シート部材（４０）の前記表面側被覆シート部形成範囲（４１）に、前記表面側被覆シート部形成範囲（４１）をシート長手方向に沿ってスリッパ単位を構成する甲被覆部（４）と踵被踏部（５）とにシート長手方向において前後に区分けする足入れ用開口部（６）を該足入れ用開口部（６）の横巾方向の両端部（６ａ，６ａ）を前記表面側被覆シート部形成範囲（４１）の側縁位置の近くに位置するようにスリッパ形成単位ごと所定の間隔をおいて順次形成する足入れ用開口部形成工程と、
この足入れ用開口部形成工程で足入れ用開口部（６）を順次形成されたシート部材（４０）の前記表面側被覆シート部形成範囲（４１）内にほぼ足裏の大きさに形成された板状の底部補強部材（３０）を該底部補強部材が甲被覆部（４）と踵被踏部（５）とに区分けする足入れ用開口部（６）の形成位置に対応されるように重ね合わせる底部補強部材重ね合わせ工程と、
前記足入れ用開口部形成工程で足入れ用開口部（６）を順次形成され、且つ前記底部補強部材重ね合わせ工程で前記表面側被覆シート部形成範囲（４１）内の所定位置に重ね合わせた底部補強部材（３０）を前記シート部材（４０）で包装すべくシート部材（４０）を扁平状態でスリッパの甲被覆部（４）の両側縁部（４ａ，４ａ）として機能される該両側縁部の平行な前記延長線（Ｌ１，Ｌ１）に沿ってシート部材（４０）の長手方向の両側端部を各両側端部が互いに接合されるようにそれぞれ折り曲げて足入れ用開口部（６）を形成した表面側被覆シート部（１）と各折り曲げ片から成る底面側被覆シート部（２）とを形成する折り曲げ工程と、
この折り曲げ工程で前記底部補強部材（３０）を包装した状態に折り曲げられた各折り曲げ片の接合部を熱接着することによって表面側被覆シート部（１）と底面側被覆シート部（２）をもつ扁平な筒状被覆体を形成する筒状被覆体形成工程と、前記折り曲げ工程の後で前記筒状被覆体形成工程の前後あるいは同時に表面側被覆シート部（１）に形成されている前記足入れ用開口部（６）の両端部（６ａ，６ａ）が前記甲被覆部（４）の両側縁部（４ａ，４ａ）として機能される折り曲げ部の後端部の近くに位置するようにして前記甲被覆部（４）の両側縁部（４ａ，４ａ）として機能される折り曲げ部を除く表面側被覆シート部（１）と底面側被覆シート部（２）とを前記底部補強部材（３０）の外周縁部から遊離させた所定のスリッパ輪郭形状に沿うように熱接着する熱接着輪郭形状部形成工程と、この熱接着輪郭形状部形成工程で熱接着された熱接着輪郭形状部（１１）の外側にあるシート部材（４０）を取り除くべく切断するカット工程によって、連続的かつ高速的に製造することができる。
【００１２】
また、前記底部補強部材（３０）を包装してないスリッパ主体（２０）のみからなる簡易スリッパを製造する場合は、前記の工程から底部補強部材重ね合わせ工程を省略することによって達成できる。
【００１３】
また、ほぼ足裏の大きさに形成された板状の底部補強部材（３０）をシート部材（４０）に重ね合わせるようにした前記底部補強部材重ね合わせ工程に代えて、足裏巾とほぼ同じ横巾に形成された熱可塑性素材からなる板状の長尺な底部補強用シート部材（３１）を用い、この底部補強用シート部材（３１）を前記シート部材（４０）の前記表面側被覆シート部形成範囲（４１）内で該底部補強用シート部材（３１）の両側縁部をスリッパの甲被覆部（４）の両側縁部（４ａ，４ａ）として機能される該両側縁部の平行な延長線（Ｌ１，Ｌ１）から該両側縁部（４ａ，４ａ）を立ち上げるための所定の立ち上げ遊び巾（Ｌ３，Ｌ３）を与えて前記シート部材（４０）の長手方向に沿わして重ね合わせるようにした底部補強用シート部材重ね合わせ工程を設け、後工程の熱接着輪郭形状部形成工程でシート部材の表面側被覆シート部（１）と底面側被覆シート部（２）の間に挟まれて熱接着された底部補強用シート部材（３１）の爪先側と踵側に位置する長手方向の両端部を、シート部材（４０）と一緒に次工程のカット工程で熱接着輪郭形状部（１１）の外側に在る部分を取り除くべく切断することによって、製造することができる。この製法では、歩行による上下方向の圧力集中が顕著であるスリッパの甲被覆部の両側縁部の後端側と底面部との境目を剥離しないように強化した簡易スリッパを、より連続的かつ高速的に機械製造することができる。
【００１４】
【発明の実施の形態】
本発明に係る扁平型簡易スリッパ及び扁平型簡易スリッパの製造方法について添付の図面を参照しながら説明する。
図１から図１３は本発明の扁平型簡易スリッパを示している。これらの図面に示された扁平型簡易スリッパに共通する構成は、スリッパ輪郭形状の表面側被覆シート部１と底面側被覆シート部２とをもつ扁平な包装形態に形成された被覆シート部材３と、この被覆シート部材３の前記表面側被覆シート部１に形成され、該表面側被覆シート部１を爪先や甲を覆う甲被覆部４と踵で踏まれる踵被踏部５とに区分けする足入れ用開口部６によってスリッパ主体２０を形成してあり、このように形成されたスリッパ主体２０の前記被覆シート部材３内の表面側被覆シート部１と底面側被覆シート部２の間にほぼ足裏の大きさに形成された板状の底部補強部材３０を包装したことである。
図１から図１０に示した簡易スリッパは、甲被覆部４を含む扁平な包装形態の被覆シート部材３から成るスリッパ主体２０と板状の底部補強部材３０とを別体とし、扁平な包装形態の被覆シート部材３から成るスリッパ主体２０内に板状の底部補強部材３０を前記被覆シート部材３０と互いに非接着な状態に包装することによって、接着剤による接着や、ヒートシールによる接着方法では、強固な接着が困難な甲被覆部４と板状の底部補強部材３０を接着せずに構成したものである。図１から図１０に示した簡易スリッパは、前記スリッパ主体２０の被覆シート部材３内に包装されている底部補強部材３０を、開口されている前記足入れ用開口部６から手作業で挿入して包装しても良く、機械的製造過程で包装しても良い。また、図１から図１０に示した簡易スリッパは、前記スリッパ主体２０を構成する前記被覆シート部材３内に前記底部補強部材３０を内包してないスリッパ主体２０のみでも簡易スリッパとして用いることができ、また、通常のビニール製などのスリッパ内に挿入してスリッパ用インソールとしても用いることができる。
また、図１から図１３に示した簡易スリッパは、前記足入れ用開口部６として、湾曲した切れ目を図示してあるが、これに限定されず足の甲部を入れることができる開口部を形成したものであれば良い。
【００１５】
図１から図４に示した扁平型簡易スリッパは、熱可塑性の不織布など熱溶着可能な素材からなるシート部材によってスリッパ輪郭形状の表面側被覆シート部１と底面側被覆シート部２をもつ扁平な包装形態に形成された被覆シート部材３と、この被覆シート部材３の前記表面側被覆シート部１に形成され、該表面側被覆シート部１を甲被覆部４と踵被踏部５とに長手方向において前後に区分けする足入れ用開口部６によってスリッパ主体２０を形成してなり、扁平な包装形態に形成された前記被覆シート部材３の外周縁部を、扁平状態でスリッパの前記甲被覆部４の両側縁部４ａ，４ａとして機能される、単一な前記シート部材を扁平な筒状被覆形態に折り曲げた該両折り曲げ部によって前記表面側被覆シート部１側と底面側被覆シート部２側とに折り曲げて形成された折り曲げ輪郭形状部１０，１０と、該折り曲げ輪郭形状部１０，１０を除く該被覆シート部材３の外周縁部をスリッパ輪郭形状に沿うように熱接着して形成した熱接着輪郭形状部１１とで形成し、前記足入れ用開口部６の横巾方向の両端部６ａ，６ａを前記甲被覆部４の両側縁部４ａ，４ａとして機能される前記折り曲げ輪郭形状部１０，１０の後端部の近くに位置するように形成したことを特徴とし、前記被覆シート部材３内の表面側被覆シート部１と底面側被覆シート部２の間に前記熱接着輪郭形状部１１より小さな外形をもちほぼ足裏の大きさに形成された厚ボール紙などの板状の底部補強部材３０を該底部補強部材３０の外周縁部を前記熱接着輪郭形状部１０，１０から遊離させた非接着状態に包装して構成したものである。スリッパ輪郭形状の表面側被覆シート部１と底面側被覆シート部２をもつ扁平な包装形態の前記被覆シート部材３は、熱可塑性の不織布など熱溶着可能な素材からなる略矩形のシート部材を該シート部材の対向する一方の両側端部をこの両側端部が互いに接合されるように扁平状態でスリッパの甲被覆部４の両側縁部４ａ，４ａとして機能される該両側縁部４ａ，４ａの延長線Ｌ１に沿ってそれぞれ折り曲げ、折り曲げられた各折り曲げ片の接合部を熱接着８することによって扁平な筒状被覆体を形成し、この扁平な筒状被覆体の両折り曲げ部のうち前記甲被覆部４の両側縁部４ａ，４ａとして機能させる範囲の折り曲げ輪郭形状部１０，１０と該折り曲げ輪郭形状部１０を除いてスリッパの輪郭形状に沿うように熱接着された熱接着輪郭形状部１１とでスリッパ輪郭形状を形成し、このスリッパ輪郭形状を形成する熱接着輪郭形状部１１の外側のシート部分を取り除くべく切断することによって構成される。ここで提供された簡易スリッパは、甲被覆部４を含む扁平な包装形態の被覆シート部材３から成るスリッパ主体２０と板状の底部補強部材３０とを別体とし、扁平な包装形態の被覆シート部材３から成るスリッパ主体２０内に板状の底部補強部材３０を非接着な状態に包装して構成したものであり、更に、前記被覆シート部材３の外周縁部を、扁平状態でスリッパの前記甲被覆部４の両側縁部４ａ，４ａとして機能される、単一な前記シート部材を扁平な筒状被覆形態に折り曲げた該両折り曲げ部によって前記表面側被覆シート部１側と底面側被覆シート部２側とに折り曲げて形成された折り曲げ輪郭形状部１０，１０と、該折り曲げ輪郭形状部を除く該被覆シート部材３の外周縁部をスリッパ輪郭形状に沿うように接着して形成した接着輪郭形状部１１とで形成し、前記足入れ用開口部６の横巾方向の両端部６ａ，６ａを前記甲被覆部４の両側縁部４ａ，４ａとして機能される前記折り曲げ輪郭形状部１０，１０の後端部の近くに位置するように形成したことによって、特に、歩行による上下方向の圧力集中が顕著である甲被覆部４の両側縁部の後端側と底面部との境目を剥離しないように強化させたものである。なお、前記筒状被覆体を形成するに際して、各折り曲げ片の重ね合わせた接合部を熱接着したものを図示してあるが、図面のように重ね合わせずに各折り曲げ片の突き合わされた端部を互いに接合させ、この接合された突合せ端部を熱接着することによって接着することもできる。また、前記被覆シート部材３を形成するシート部材として熱可塑性素材を用いているが、この熱可塑性素材から成るシート部材には、シート部材全体を熱可塑性素材で形成したものの他、例えば、紙やレーヨン不織布から成る素材に熱可塑性樹脂などの熱可塑性素材層をコーティングしたものも含むものであり、これは後述する図５から図１３に示した実施形態における被覆シート部材も同様である。
【００１６】
図５から図７に示した扁平型簡易スリッパは、熱可塑性素材、例えば熱可塑性の不織布からなるシート部材によってスリッパ輪郭形状の表面側被覆シート部１と底面側被覆シート部２をもつ扁平な包装形態に形成された被覆シート部材３と、この被覆シート部材３の前記表面側被覆シート部１に形成され、該表面側被覆シート部１を甲被覆部４と踵被踏部５とに区分けする足入れ用開口部６によってスリッパ主体２０を形成してなり、前記被覆シート部材３の外周縁部を、扁平状態でスリッパの爪先側前縁部４ｂと踵側後縁部５ａとして機能されるシートを折り曲げて形成された折り曲げ輪郭形状部１０，１０と、該折り曲げ輪郭形状部１０，１０を除く外周縁部をスリッパ輪郭形状に沿うように熱接着して形成した熱接着輪郭形状部１１とで形成し、前記足入れ用開口部６の両端部６ａ，６ａを前記熱接着輪郭形状部１１の近くに位置するように形成したことを特徴とし、前記被覆シート部材３内の表面側被覆シート部１と底面側被覆シート部２の間に前記熱接着輪郭形状部１１より小さな外形をもちほぼ足裏の大きさに形成された厚ボール紙などの板状の底部補強部材３０を該底部補強部材３０の外周縁部を前記熱接着輪郭形状部１１から遊離させた非接着状態に包装して構成したものである。ここで提供された簡易スリッパは、甲被覆部４を含む扁平な包装形態の被覆シート部材３から成るスリッパ主体２０と板状の底部補強部材３０とを別体とし、扁平な包装形態の被覆シート部材３から成るスリッパ主体２０内に板状の底部補強部材３０を非接着な状態に包装して構成したものであり、更に、前記被覆シート部材３の外周縁部を、扁平状態でスリッパの爪先側前縁部４ｂと踵側後縁部５ａとして機能されるシートを折り曲げて形成された折り曲げ輪郭形状部１０，１０としたことによって、歩行による足爪先部の圧力が加えられるスリッパの爪先側前縁部４ｂを剥離しないように強化させている。スリッパの爪先側前縁部４ｂをシートを折り曲げて折り曲げ輪郭形状部１０としたこの簡易スリッパは、スリッパ主体２０のみを通常のスリッパ内に挿入してスリッパ用インソールとして用いた場合に特に効果的である。
【００１７】
図８から図１０に示した扁平型簡易スリッパは、熱可塑性素材、例えば熱可塑性の不織布からなるシート部材によってスリッパ輪郭形状の表面側被覆シート部１と底面側被覆シート部２をもつ扁平な包装形態に形成された被覆シート部材３と、この被覆シート部材３の前記表面側被覆シート部１に形成され、該表面側被覆シート部１を甲被覆部４と踵被踏部５とに区分けする足入れ用開口部６によってスリッパ主体２０を形成してなり、前記被覆シート部材３の外周縁部を扁平状態でスリッパ輪郭形状に沿うように熱接着して形成した熱接着輪郭形状部１１で形成し、前記足入れ用開口部６の両端部６ａ，６ａを前記熱接着輪郭形状部１１の近くに位置するように形成したことを特徴とし、前記被覆シート部材３内の表面側被覆シート部１と底面側被覆シート部２の間に前記熱接着輪郭形状部１１より小さな外形をもちほぼ足裏の大きさに形成された厚ボール紙などの板状の底部補強部材３０を該底部補強部材３０の外周縁部を前記熱接着輪郭形状部１１から遊離させた非接着状態に包装して構成してある。ここで提供された簡易スリッパは、甲被覆部４を含む扁平な包装形態の被覆シート部材３から成るスリッパ主体２０と板状の底部補強部材３０とを別体とし、扁平な包装形態の被覆シート部材３から成るスリッパ主体２０内に板状の底部補強部材３０を非接着な状態に包装することによって、接着な困難な甲被覆部４と板状の底部補強部材３０を接着せずに構成したものである。
なお、図８及び図９に示した実施形態では、前記表面側被覆シート部１に前記足入れ用開口部６を形成すると共にこの足入れ用開口部６の形成位置より踵側にスリッパ長手方向と直交する第２開口部７を形成し、前記足入れ用開口部６と前記第２開口部７の間に在る表面側被覆シート部１を図示する如く底部補強シート部材３０の下側に位置するように底部補強シート部材３０を前記被覆シート部材３内の表面側被覆シート部１と底面側被覆シート部２の間に包装いている。前記足入れ用開口部６の他に前記第２開口部７を形成した場合、前記被覆シート部材３内に後から手作業で前記底部補強部材２０を挿入する操作が容易である。
【００１８】
図１１から図１３に示した扁平型簡易スリッパは、熱可塑性の不織布など熱溶着可能な熱可塑性素材からなるシート部材によってスリッパ輪郭形状の表面側被覆シート部１と底面側被覆シート部２をもつ扁平な包装形態に形成された被覆シート部材３と、この被覆シート部材３の前記表面側被覆シート部１に形成され、該表面側被覆シート部１を甲被覆部４と踵被踏部５とに区分けする足入れ用開口部６によってスリッパ主体２０を形成してなり、前記被覆シート部材３の外周縁部を、扁平状態でスリッパの前記甲被覆部（４）の両側縁部（４ａ，４ａ）として機能される、前記シート部材を扁平な筒状被覆形態に折り曲げた該両折り曲げ部によって前記表面側被覆シート部１側と底面側被覆シート部２側とに折り曲げて形成された折り曲げ輪郭形状部１０，１０と、該折り曲げ輪郭形状部を除く外周縁部をスリッパ輪郭形状に沿うように熱接着して形成した熱接着輪郭形状部１１とで形成し、前記足入れ用開口部６の両端部６ａ，６ａを前記甲被覆部４の両側縁部４ａ，４ａとして機能される前記折り曲げ輪郭形状部１０，１０の後端部の近くに位置するように形成し、更に、前記スリッパ主体２０の前記被覆シート部材３内の表面側被覆シート部１と底面側被覆シート部２の間に、足裏巾とほぼ同じ横巾Ｌ２に形成された熱可塑性の不織布など熱溶着可能な熱可塑性素材からなるやや厚目のシート厚をもつ板状の底部補強部材３０を、該底部補強部材の横巾方向の外周縁部を少なくとも前記甲被覆部４の両側縁部４ａ，４ａから該両側縁部４ａ，４ａを立ち上げるための所定の立ち上げ遊び巾Ｌ３，Ｌ３を与えられる位置に配設すると共に、この底部補強部材３０の爪先側と踵側に位置する長手方向の外周縁部を前記熱接着輪郭形状部１１で前記表面側被覆シート部１と底面側被覆シート部２の間に挟まれて熱接着された接着状態に包装して構成したものである。前記折り曲げ輪郭形状部１０，１０を除く外周縁部をスリッパ輪郭形状に沿うように接着して熱接着輪郭形状部１１を形成する接着手段は、ヒートシールによる接着、好ましくは超音波接着による接着方法によって行なわれる。
スリッパ輪郭形状の表面側被覆シート部１と底面側被覆シート部２をもつ扁平な包装形態の前記被覆シート部材３は、図１乃至図４の実施形態と同様に、熱可塑性の不織布など熱溶着可能な素材からなる略矩形のシート部材を該シート部材の対向する一方の両側端部をこの両側端部が互いに接合されるように扁平状態でスリッパの甲被覆部４の両側縁部４ａ，４ａとして機能される該両側縁部４ａ，４ａの延長線Ｌ１に沿ってそれぞれ折り曲げ、折り曲げられた各折り曲げ片の接合部を熱接着８することによって扁平な筒状被覆体を形成し、この扁平な筒状被覆体の両折り曲げ部のうち前記甲被覆部４の両側縁部４ａ，４ａとして機能させる範囲の折り曲げ輪郭形状部１０，１０と該折り曲げ輪郭形状部１０を除いてスリッパの輪郭形状に沿うように熱接着された熱接着輪郭形状部１１とでスリッパ輪郭形状を形成し、このスリッパ輪郭形状を形成する熱接着輪郭形状部１１の外側のシート部分を取り除くべく切断することによって構成される。
ここで提供された簡易スリッパは、前記被覆シート部材３の外周縁部を、扁平状態でスリッパの前記甲被覆部４の両側縁部４ａ，４ａとして機能される、単一な前記シート部材を扁平な筒状被覆形態に折り曲げた該両折り曲げ部によって前記表面側被覆シート部１側と底面側被覆シート部２側とに折り曲げて形成された折り曲げ輪郭形状部１０，１０と、該折り曲げ輪郭形状部を除く該被覆シート部材３の外周縁部をスリッパ輪郭形状に沿うように熱接着して形成した熱接着輪郭形状部１１とで形成し、前記足入れ用開口部６の横巾方向の両端部６ａ，６ａを前記甲被覆部４の両側縁部４ａ，４ａとして機能される前記折り曲げ輪郭形状部１０，１０の後端部の近くに位置するように形成したことによって、特に、歩行による上下方向の圧力集中が顕著である甲被覆部の両側縁部の後端側と底面部との境目を剥離しないように強化させたものである。また、ここで提供された簡易スリッパは、連続的かつ高速的に機械製造するのに適している。
【００１９】
次に図１乃至図４に示した簡易スリッパの製造方法について、図１４（ａ）（ｂ）（ｃ）を加えて説明する。
シート長手方向の中央部に扁平状態でスリッパの甲被覆部４の両側縁部４ａ，４ａとして機能される該両側縁部４ａ，４ａの平行な延長線Ｌ１，Ｌ１で囲まれた表面側被覆シート部形成範囲４１と、この表面側被覆シート部形成範囲４１の両側部に各端部が互いに接合される所定巾を与えられた底面側被覆シート部形成範囲４２，４２とに画成された所定のシート巾に形成された熱可塑性の不織布などからなる長尺のシート部材４０であり、該シート部材４０の前記表面側被覆シート部形成範囲４１に、前記表面側被覆シート部形成範囲４１をシート長手方向に沿ってスリッパ単位を構成する甲被覆部４と踵被踏部５とにシート長手方向において前後に区分けする足入れ用開口部６を該足入れ用開口部６の横巾方向の両端部６ａ，６ａを前記表面側被覆シート部形成範囲４１の側縁位置の近くに位置するようにスリッパ形成単位ごと所定の間隔をおいて順次形成する図１１（ａ）に概略を示す足入れ用開口部形成工程と、
この足入れ用開口部形成工程で足入れ用開口部６を順次形成されたシート部材４０の前記表面側被覆シート部形成範囲４１内にほぼ足裏の大きさに形成された厚ボール紙などの板状の底部補強部材３０を該底部補強部材３０が甲被覆部４と踵被踏部５とに区分けする足入れ用開口部６の形成位置に対応されるように重ね合わせる底部補強部材重ね合わせ工程と、
前記足入れ用開口部形成工程で足入れ用開口部６を順次形成され、且つ前記底部補強部材重ね合わせ工程で前記表面側被覆シート部形成範囲４１内に重ね合わせた底部補強部材３０を前記シート部材４０で包装すべくシート部材４０を扁平状態でスリッパの甲被覆部４の両側縁部４ａ，４ａとして機能される該両側縁部４ａ，４ａの平行な延長線Ｌ１に沿ってシート部材４０の長手方向の両側端部を各両側端部が互いに接合されるようにそれぞれ折り曲げて足入れ用開口部を形成した表面側被覆シート部１と各折り曲げ片から成る底面側被覆シート部２とを形成する折り曲げ工程と、
この折り曲げ工程で前記底部補強部材３０を包装した状態に折り曲げられた各折り曲げ片の接合部を熱接着８することによって表面側被覆シート部１と底面側被覆シート２部をもつ扁平な筒状被覆体を形成する図１１（ｂ）に概略を示す筒状被覆体形成工程と、前記折り曲げ工程の後で前記筒状被覆体形成工程の前後あるいは同時に表面側被覆シート部１に形成されている前記足入れ用開口部６の両端部６ａ，６ａが前記甲被覆部４の両側縁部４ａ，４ａとして機能される折り曲げ部の後端部の近くに位置するようにして前記甲被覆部４の両側縁部４ａ，４ａとして機能される折り曲げ部を除く表面側被覆シート部１と底面側被覆シート部２とを前記底部補強部材３０の外周縁部から遊離させた所定のスリッパ輪郭形状に沿うように熱接着する図１１（ｃ）に概略を示す熱接着輪郭形状部形成工程と、この熱接着輪郭形状部形成工程で熱接着された熱接着輪郭形状部１１の外側に在るシート部材４０を取り除くべく切断するカット工程によって、連続的かつ高速的に偏平型簡易スリッパを製造することができる。
【００２０】
なお、板状の底部補強部材３０を包装してないスリッパ主体２０のみからなる簡易スリッパを製造する場合は、前記の工程から底部補強部材重ね合わせ工程を省略することによって達成できる。
【００２１】
また、ほぼ足裏の大きさに形成された板状の底部補強部材３０をシート部材４０に重ね合わせるようにした前記底部補強部材重ね合わせ工程に代えて、図１５（ａ）（ｂ）（ｃ）に製造工程の概略を示すように、足裏巾とほぼ同じ横巾Ｌ２に形成された熱可塑性素材からなる板状の長尺な底部補強用シート部材３１を用い、この底部補強用シート部材３１を前記シート部材４０の前記表面側被覆シート部形成範囲４１内で該底部補強用シート部材３１の両側縁部をスリッパの甲被覆部４の両側縁部４ａ，４ａとして機能される該両側縁部の平行な延長線Ｌ１，Ｌ１から該両側縁部４ａ，４ａを立ち上げるための所定の立ち上げ遊び巾Ｌ３，Ｌ３を与えて前記シート部材４０の長手方向に沿わして重ね合わせるようにした底部補強用シート部材重ね合わせ工程を設け、後工程の熱接着輪郭形状部形成工程でシート部材４０の表面側被覆シート部１と底面側被覆シート部２の間に挟まれて熱接着された底部補強用シート部材３１の爪先側と踵側に位置する長手方向の両端部を、シート部材４０と一緒に次工程のカット工程で熱接着輪郭形状部１１の外側に在る部分を取り除くべく切断することによって、製造することができる。前記熱接着輪郭形状部形成工程における接着手段は、超音波接着による接着方法が好ましい。なお、図１５における、その他の製造工程の説明は、図１４と同様である。この製法では、歩行による上下方向の圧力集中が顕著であるスリッパの甲被覆部の両側縁部の後端側と底面部との境目を剥離しないように強化した簡易スリッパを、より連続的かつ高速的に機械製造することができる。
【００２２】
【発明の効果】
本発明（請求項２の）に係る扁平型簡易スリッパは、甲被覆部を含む扁平な包装形態の被覆シート部材から成るスリッパ主体と板状の底部補強部材とを別体とし、扁平な包装形態の被覆シート部材から成るスリッパ主体内に板状の底部補強部材を非接着な状態に包装することによって、素材が異なり接着が困難な甲被覆部材と底板部材を接着せずに構成したものであり、強固な接着が困難とされている甲被覆部材と底板部材として機能する板状の底部補強部材を接着せずに簡易スリッパを形成したことにより、底板部材として機能する板状の底部補強部材の素材や厚さの選定が容易であり、例えば表面に凹凸部を形成した底板部材の採用も可能である。
また、本発明（請求項２の）に係る扁平型簡易スリッパは、スリッパ主体に対して底板部材として機能する板状の底部補強部材のみ交換できる。
また、本発明（請求項１の）に係る扁平型簡易スリッパは、底板部材として機能する板状の底部補強部材を包装してない被覆シート部材から成るスリッパ主体のみを、通常のビニール製やフェルト製のスリッパ内に挿入して使用するスリッパ用インソールとしても用いることができる。
【００２３】
しかも、本発明（請求項１乃至３の）に係る扁平型簡易スリッパは、扁平な包装形態に形成された前記被覆シート部材（３）の外周縁部を、扁平状態でスリッパの前記甲被覆部（４）の両側縁部（４ａ，４ａ）として機能される、前記シート部材を扁平な筒状被覆形態に折り曲げた該両折り曲げ部によって前記表面側被覆シート部（１）側と底面側被覆シート部（２）側とに折り曲げて形成された折り曲げ輪郭形状部（１０，１０）と、該折り曲げ輪郭形状部を除く該被覆シート部材（３）の外周縁部をスリッパ輪郭形状に沿うように接着して形成した接着輪郭形状部（１１）とで形成し、前記足入れ用開口部（６）の横巾方向の両端部（６ａ，６ａ）を前記甲被覆部（４）の両側縁部（４ａ，４ａ）として機能される前記折り曲げ輪郭形状部（１０，１０）の後端部の近くに位置するように形成し、歩行による上下方向の圧力が集中され、甲を覆う部分と足で押圧される底部側とを互いに引き離す力が強く作用される甲被覆部の開口側縁部と足で押圧される底部側との境目をつなぎ目の無いシート部材によって構成したことによって、スリッパの甲被覆部の両側縁部として機能される部分を歩行による上下方向の圧力集中に対しても剥離しないように特に強化させたものである。特に歩行による上下方向の圧力集中が顕著である甲被覆部の両側縁部の後端側と足で押圧される底部側との境目を剥離しないように強化させたものである。
【００２４】
また、本発明の係る扁平型簡易スリッパの製法によれば、甲被覆部の両側部、特に歩行によって、甲を覆う部分と足で押圧される底部側とを互いに引き離す力が強く作用される甲被覆部の開口側縁部と足で押圧される底部側との境目が剥離されにくい新規な簡易スリッパを連続的かつ高速的に製造することができる。
【図面の簡単な説明】
【図１】  本発明の扁平型簡易スリッパを示す平面図である。
【図２】  図１の扁平型簡易スリッパの底面図である。
【図３】  図１のＡ−Ａ矢視線に沿った縦断面図である。
【図４】  図１のＢ−Ｂ矢視線に沿った縦断面図である。
【図５】  本発明の扁平型簡易スリッパの他の実施形態を示す平面図である。
【図６】  図５の扁平型簡易スリッパの底面図である。
【図７】  図５のＣ−Ｃ矢視線に沿った縦断面図である。
【図８】  本発明の扁平型簡易スリッパの他の実施形態を示す平面図である。
【図９】  図８のＤ−Ｄ矢視線に沿った縦断面図である。
【図１０】  図８のＥ−Ｅ矢視線に沿った縦断面図である。
【図１１】  本発明の扁平型簡易スリッパの他の実施形態を示す平面図である。
【図１２】  図１１の扁平型簡易スリッパの底面図である。
【図１３】  図１１のＦ−Ｆ矢視線に沿った縦断面図である。
【図１４】  図１乃至図４に示した扁平型簡易スリッパの製造工程を示す図である。
【図１５】  図１１乃至図１３に示した扁平型簡易スリッパの製造工程を示す図である。
【符号の説明】
１  表面側被覆シート部
２  底面側被覆シート部
３  被覆シート部材
４  甲被覆部
４ａ，４ａ  甲被覆部の両側縁部
５  踵被踏部
６  足入れ用開口部
６ａ，６ａ  足入れ用開口部の両端部
１０  折り曲げ輪郭形状部
１１  熱接着輪郭形状部
２０  スリッパ主体
３０  底部補強部材
３１  底部補強用シート部材
４０  シート部材
４１  表面側被覆シート部形成範囲
４２  底面側被覆シート部形成範囲
【図１】
0003657779.tif 000002
【図２】
0003657779.tif 000003
【図３】
0003657779.tif 000004
【図４】
0003657779.tif 000005
【図５】
0003657779.tif 000006
【図６】
0003657779.tif 000007
【図７】
0003657779.tif 000008
【図８】
0003657779.tif 000009
【図９】
0003657779.tif 000010
【図１０】
0003657779.tif 000011
【図１１】
0003657779.tif 000012
【図１２】
0003657779.tif 000013
【図１３】
0003657779.tif 000014
【図１４】
0003657779.tif 000015
【図１５】
0003657779.tif 000016